(57)【要約】本発明は、広帯域無線接続システムに関し、特に、端末と基地局がレンジングの目的を考慮して効率的なレンジング手順を行う方法及びその装置に関する。本発明の一実施例に係る広帯域無線接続システムにおいて端末がレンジングを行う方法は、レンジング要請のための第１のレンジングコードを、第１のフレームの第１のレンジング機会（ｒａｎｇｉｎｇ  ｏｐｐｏｒｔｕｎｉｔｙ）を通じて基地局に転送すること、及び前記第１のレンジングコードに対する応答を含む第１のメッセージが転送される限界時点を指示するタイマーが満了する前に、前記基地局から前記第１のメッセージが受信されると、該第１のメッセージを用いて、前記レンジング要請に成功したか否かを判断することを含むことができる。【選択図】図１
2013509079.tif 000002
【特許請求の範囲】
【請求項１】
広帯域無線接続システムにおいて端末がレンジングを行う方法であって、
レンジング要請のための第１のレンジングコードを、第１のフレームの第１のレンジング機会（ｒａｎｇｉｎｇ  ｏｐｐｏｒｔｕｎｉｔｙ）を通じて基地局に転送し、
前記第１のレンジングコードに対する応答を含む第１のメッセージが転送される限界時点を指示するタイマーが満了する前に、前記基地局から前記第１のメッセージが受信されると、該第１のメッセージを用いて、前記レンジング要請に成功したか否かを判断すること、を含む、レンジング方法。
【請求項２】
前記第１のメッセージに、前記第１のレンジングコードに対する応答が含まれていないか、または、前記タイマーが満了するまで前記第１のメッセージが受信されない場合に、
前記判断は、
前記第１のレンジングコードに対応して、第２のメッセージを前記基地局に転送するためのアップリンク割当情報が、前記タイマーが満了する前に前記基地局から受信されると、前記レンジング要請に成功したと判断するように行われ、前記アップリンク割当情報が、前記タイマーが満了するまで受信されないと、前記レンジング要請に失敗したと判断するように行われることを特徴とする、請求項１に記載のレンジング方法。
【請求項３】
前記第１のメッセージは、
前記第１のメッセージが参照するレンジング機会を含む少なくとも一つのフレームを指示するフレーム指示子、前記フレーム指示子フィールドが指示する各フレームのレンジング機会に受信されたコードのデコーディング状態を指示するビットマップ（ＲＮＧ−ＡＣＫ  Ｂｉｔｍａｐ）、及び前記レンジング機会で成功的にデコーディングされた少なくとも一つのレンジングコードを含む、請求項１に記載のレンジング方法。
【請求項４】
前記判断は、
前記受信された第１のメッセージに前記第１のフレームを指示するフレーム指示子フィールドが含まれ、前記第１のフレームに対するビットマップ（ＲＮＧ−ＡＣＫ  Ｂｉｔｍａｐ）に前記第１のレンジング機会に対するビットが１に設定され、前記第１のレンジングコードが含まれていると、前記レンジング要請に成功したと判断するように行われることを特徴とする、請求項３に記載のレンジング方法。
【請求項５】
前記第１のメッセージは、レンジング肯定応答（ＡＡＩ＿ＲＮＧ−ＡＣＫ）メッセージであり、
前記第２のメッセージは、レンジング要請（ＡＡＩ＿ＲＮＧ−ＲＥＱ）メッセージであり、
前記タイマーは、Ｔ３１タイマーであることを特徴とする、請求項２に記載のレンジング方法。
【請求項６】
広帯域無線接続システムにおいて基地局がレンジングを行う方法であって、
少なくとも一つのレンジング機会を通じてレンジングコードを探知し、
前記探知の結果、少なくとも一つのレンジングコードが探知された各レンジング機会を含むフレームから既に設定されたタイマーが満了する前に、前記レンジングコードの受信状態に対する応答を含む第１のメッセージを、少なくとも一つの端末に転送すること、
を含む、レンジング方法。
【請求項７】
探知された少なくとも一つのレンジングコードのうち、成功的に受信され、かつ、アップリンク転送パラメータを修正する必要がない第１のレンジングコードを転送した第１の端末に、第２のメッセージの転送のためのアップリンクリソース割当情報を転送することをさらに含み、
前記第１のメッセージでは前記第１のレンジングコードに対する応答が省かれることを特徴とする、請求項６に記載のレンジング方法。
【請求項８】
前記第１のメッセージは、
前記第１のメッセージが参照するレンジング機会を含む少なくとも一つのフレームを指示するフレーム指示子、前記フレーム指示子フィールドが指示する各フレームのレンジング機会に受信されたコードのデコーディング状態を指示するビットマップ（ＲＮＧ−ＡＣＫ  Ｂｉｔｍａｐ）、及び前記レンジング機会で成功的にデコーディングされた少なくとも一つのレンジングコードを含む、請求項６に記載のレンジング方法。
【請求項９】
前記フレーム指示子は、
前記フレーム指示子が指示するフレームを含むスーパーフレームの番号を指示する少なくとも一つのビット、及び前記スーパーフレーム内で前記フレームの番号を指示する少なくとも一つのビットを含む、請求項８に記載のレンジング方法。
【請求項１０】
前記第１のメッセージは、レンジング肯定応答（ＡＡＩ＿ＲＮＧ−ＡＣＫ）メッセージであり、
前記第２のメッセージは、レンジング要請（ＡＡＩ＿ＲＮＧ−ＲＥＱ）メッセージであり、
前記タイマーは、Ｔ３１タイマーであることを特徴とする、請求項７に記載のレンジング方法。
【請求項１１】
広帯域無線接続システムにおいてレンジングを行う端末装置であって、
プロセッサと、
前記プロセッサの制御によって外部と無線信号を送受信するための無線通信（ＲＦ）モジュールと、
を備え、
前記プロセッサは、
レンジング要請のための第１のレンジングコードを第１のフレームの第１のレンジング機会（ｒａｎｇｉｎｇ  ｏｐｐｏｒｔｕｎｉｔｙ）を通じて基地局に転送し、前記第１のレンジングコードに対する応答を含む第１のメッセージが転送される限界時点を指示するタイマーが満了する前に、前記基地局から前記第１のメッセージが受信されると、該第１のメッセージを用いて前記レンジング要請に成功したか否かを判断するように制御することを特徴とする、端末装置。
【請求項１２】
前記第１のメッセージに、前記第１のレンジングコードに対する応答が含まれていないか、または、前記タイマーが満了するまで前記第１のメッセージが受信されない場合に、
前記プロセッサは、
前記第１のレンジングコードに対応して、第２のメッセージを前記基地局に転送するためのアップリンク割当情報が、前記タイマーが満了する前に前記基地局から受信されると、前記レンジング要請に成功したと判断し、前記アップリンク割当情報が前記タイマーが満了するまで受信されないと、前記レンジング要請に失敗したと判断することを特徴とする、請求項１１に記載の端末装置。
【請求項１３】
前記第１のメッセージは、
前記第１のメッセージが参照するレンジング機会を含む少なくとも一つのフレームを指示するフレーム指示子、前記フレーム指示子フィールドが指示する各フレームのレンジング機会に受信されたコードのデコーディング状態を指示するビットマップ（ＲＮＧ−ＡＣＫ  Ｂｉｔｍａｐ）、及び前記レンジング機会で成功的にデコーディングされた少なくとも一つのレンジングコードを含むことを特徴とする、請求項１１に記載の端末装置。
【請求項１４】
前記プロセッサは、
前記受信された第１のメッセージに前記第１のフレームを指示するフレーム指示子フィールドが含まれ、前記第１のフレームに対するビットマップ（ＲＮＧ−ＡＣＫ  Ｂｉｔｍａｐ）に前記第１のレンジング機会に対するビットが１に設定され、前記第１のレンジングコードが含まれていると、前記レンジング要請に成功したと判断することを特徴とする、請求項１３に記載の端末装置。
【請求項１５】
前記第１のメッセージは、レンジング肯定応答（ＡＡＩ＿ＲＮＧ−ＡＣＫ）メッセージであり、
前記第２のメッセージは、レンジング要請（ＡＡＩ＿ＲＮＧ−ＲＥＱ）メッセージであり、
前記タイマーは、Ｔ３１タイマーであることを特徴とする、請求項１２に記載の端末装置。
【発明の詳細な説明】
【技術分野】
【０００１】
本発明は、広帯域無線接続システムに係り、特に、端末と基地局がレンジングの目的を考慮して効率的なレンジング手順を行う方法及び装置に関する。
【背景技術】
【０００２】
ＩＥＥＥ  ８０２．１６作業グループで制定した主要標準には、固定ワイマックス（Ｆｉｘｅｄ  ＷｉＭＡＸ）と呼ばれるＩＥＥＥ  ８０２．１６−２００４、及びモバイルワイマックス（ｍｏｂｉｌｅ  ＷｉＭＡＸ）と呼ばれるＩＥＥＥ  ８０２．１６ｅ−２００５（以下、１６ｅ）がある。ＩＥＥＥ  ８０２．１６ｅ−２００５は、２００５年１２月にＩＥＥＥから最終的に標準として承認された。現在バージョンのモバイルワイマックス技術の根幹となる標準は、ＩＥＥＥ  ８０２．１６−２００４、ＩＥＥＥ  ８０２．１６ｅ−２００５（この文書は、ＩＥＥＥ  ８０２．１６−２００４のＣｏｒｒｉｇｅｎｄａを含んでいる。）、ＩＥＥＥ  ８０２．１６−２００４／Ｃｏｒｒｉｇｅｎｄａ２／Ｄ８である。現在、次期バージョンのモバイルワイマックスのためのＩＥＥＥ  ８０２．１６ｍ（以下、１６ｍ）の標準化が、ＩＥＥＥ  ８０２．１６作業グループ内のＴＧｍで進行中である。
【０００３】
最初のネットワーク登録手順を行う際に、端末が基地局とのアップリンク通信のための転送パラメータ（周波数オフセット、時間オフセット、転送電力）を調整する過程を初期レンジング（ｉｎｉｔｉａｌ  ｒａｎｇｉｎｇ）といい、ネットワーク登録手順を行った後に、端末は基地局とのアップリンク通信を維持し続くために、周期的レンジング（ｐｅｒｉｏｄｉｃ  ｒａｎｇｉｎｇ）を行う。その他にも、レンジングの種類には、端末機がハンドオーバー動作時に手順を簡素化するために行うハンドオーバーレンジング（ｈａｎｄｏｖｅｒ  ｒａｎｇｉｎｇ）と、端末が転送するデータが発生した時にアップリンク帯域を要請する過程で行われる帯域要請レンジング（ｂａｎｄｗｉｄｔｈ−ｒｅｑｕｅｓｔ  ｒａｎｇｉｎｇ）がある。
【０００４】
広帯域無線接続システムにおいて、各レンジングの種類によって、レンジング時に使用可能なＣＤＭＡコード（または、レンジングプリアンブル：ｒａｎｇｉｎｇ  ｐｒｅａｍｂｌｅ）集合及びＣＤＭＡコードを転送する領域が、ネットワークによりシステム情報を放送するチャネル（例えば、ＵＬ−ＭＡＰ）を通じて割り当てられる。そのため、例えば、特定端末がハンドオーバーレンジングを行うためには、ハンドオーバーレンジングのためのＣＤＭＡコードから特定コードを選択し、選択されたコードを初期レンジング及びハンドオーバーレンジング領域を通じてネットワークに転送することによってレンジングを要請しなければならない。そのため、ネットワークは、受信したＣＤＭＡコード及びＣＤＭＡコードの転送された区間を用いてレンジングの種類を区別することができる。
【０００５】
より具体的に、ＩＥＥＥ  ８０２．１６ｍ規格の端末（ＡＭＳ）は、初期レンジングを行うために、レンジングの対象となる基地局とダウンリンク同期を獲得し、アップリンク転送パラメータを受信する。端末は、ランダムバックオフによってレンジングスロット（または、レンジング機会：Ｒａｎｇｉｎｇ  Ｏｐｐｏｒｔｕｎｉｔｙ）を選択し、ランダムに初期レンジングコードを選択して選択したレンジングスロットに転送する。レンジングコードを受信した基地局は、レンジング肯定応答（ＡＡＩ＿ＲＮＧ−ＡＣＫ）メッセージを端末に転送する。レンジング肯定応答メッセージは、所定フレームで端末が転送したレンジングコード、コードの受信状態及び受信状態に基づく物理補正値などを含むことができる。
【０００６】
具体的に、基地局は端末からレンジングコードを受信すると、それに対する応答としてＡＡＩ＿ＲＮＧ−ＡＣＫメッセージの割当情報を、放送マスキングコード（Ｂｒｏａｄｃａｓｔ  Ｍａｓｋｉｎｇ  Ｃｏｄｅ）を用いた放送割当マップ情報要素（Ｂｒｏａｄｃａｓｔ  ａｓｓｉｇｎｍｅｎｔ  Ａ−ＭＡＰ  ＩＥ）を通じて端末に転送する。ＡＡＩ＿ＲＮＧ−ＡＣＫメッセージが非要請で特定端末に転送される場合は、ユニキャストＳＴＩＤを用いたダウンリンク基本割当マップ情報要素（ＤＬ  ｂａｓｉｃ  ａｓｓｉｇｎｍｅｎｔ  Ａ−ＭＡＰ  ＩＥ）を通じて割当情報が端末に伝達される。もし、全てのレンジングコードが成功的に受信されたような特定条件では、ＡＡＩ＿ＲＮＧ−ＡＣＫメッセージの転送は省略されてもよい。
【０００７】
端末がレンジング肯定応答メッセージを受信して該メッセージのレンジング肯定応答ビットマップ（ＲＮＧ−ＡＣＫ  ｂｉｔｍａｐ）などを確認した結果、端末の選択したレンジングスロットで成功的にデコーディングされたレンジングコードがない、または、レンジング肯定応答メッセージに当該端末の初期レンジングの試みに対する応答がないと、端末は、自身が試みた初期レンジングに失敗したと判断できる。そのため、端末は初期レンジング手順を再び行うようになる。
【０００８】
初期レンジング受信に成功した場合に、基地局がＡＡＩ＿ＲＮＧ−ＡＣＫメッセージを通じて端末に提供する応答としては、次の３種類がある。まず、レンジング状態（ｒａｎｇｉｎｇ  ｓｔａｔｕｓ）がコンティニュー（ｃｏｎｔｉｎｕｅ）の場合には、物理補正値を当該メッセージに含める。また、レンジング状態が成功（ｓｕｃｃｅｓｓ）の場合には、基地局は端末にレンジング要請メッセージを転送するためのアップリンクリソースを割り当てる。この場合、物理補正値がさらに含まれてもよい。最後に、レンジング状態が中断（ａｂｏｒｔ）の場合には、基地局は端末にレンジング手順を一定期間中断することを要請することができる。
【０００９】
端末は、レンジング状態がコンティニューの場合に、ＡＡＩ＿ＲＮＧ−ＡＣＫメッセージに含まれている物理補正値を用いてレンジング手順を続行し、成功の場合には、基地局からアップリンクリソースを割り当てられ、当該リソースを通じてＡＡＩ＿ＲＮＧ−ＲＥＱメッセージを基地局に転送する。
【００１０】
ＡＡＩ＿ＲＮＧ−ＡＣＫメッセージは、初期レンジングの他、ハンドオーバー／周期的（ｈａｎｄｏｖｅｒ／ｐｅｒｉｏｄｉｃ）レンジングに対する応答としても、あらかじめ定義された時点（すなわち、区間：ｔｒａｎｓｍｉｓｓｉｏｎ  ｏｆｆｓｅｔ）以内に基地局により転送される。
【００１１】
ハンドオーバー手順は、ＩＥＥＥ  ８０２．１６ｍシステムでは、要求事項によるハンドオーバー中断時間（ｈａｎｄｏｖｅｒ  ｉｎｔｅｒｒｕｐｔｉｏｎ  ｔｉｍｅ：３０ｍｓ）以内に完了しなければならない。
【００１２】
そのため、ハンドオーバー手順に属する動作が最小限のディレイ（ｄｅｌａｙ）で行わねばならない。例えば、基地局は、ハンドオーバー手順で行われる動作の一つである、ハンドオーバーレンジングに対する応答であるＡＡＩ＿ＲＮＧ−ＡＣＫメッセージの端末への転送を迅速に行い、端末は、自身が転送したハンドオーバーレンジングコードが受信されたか否かをより迅速に確認する必要がある。
【００１３】
ここで、初期／周期的レンジングに対するＡＡＩ＿ＲＮＧ−ＡＣＫメッセージの転送時点をハンドオーバーレンジングと同一に定義することは、オーバーヘッドの側面で非効率的でありうる。そこで、レンジング用途に応じて差別化したＡＡＩ＿ＲＮＧ−ＡＣＫメッセージの転送時点及び手順が定義される必要がある。
【発明の概要】
【発明が解決しようとする課題】
【００１４】
本発明は上記の一般的な技術の問題点を解決するために案出されたもので、その目的は、より効率的なレンジング手順を提供することにある。
【００１５】
本発明の他の目的は、レンジングの目的に応じてレンジング肯定応答メッセージの転送時点を定義することにある。
【００１６】
本発明で達成しようとする技術的課題は、以上に言及した技術的課題に制限されず、言及していない他の技術的課題は、下の記載から、本発明の属する技術の分野における通常の知識を有する者には明確に理解されるであろう。
【課題を解決するための手段】
【００１７】
上記の一般的技術の問題点を解決するために、本発明の一実施例に係る広帯域無線接続システムにおいて端末がレンジングを行う方法は、レンジング要請のための第１のレンジングコードを、第１のフレームの第１のレンジング機会（ｒａｎｇｉｎｇ  ｏｐｐｏｒｔｕｎｉｔｙ）を通じて基地局に転送すること、及び前記第１のレンジングコードに対する応答を含む第１のメッセージが転送される限界時点を指示するタイマーが満了する前に、前記基地局から前記第１のメッセージが受信されると、該第１のメッセージを用いて、前記レンジング要請に成功したか否かを判断することを含むことができる。
【００１８】
ここで、前記第１のメッセージに、前記第１のレンジングコードに対する応答が含まれていないか、または、前記タイマーが満了するまで前記第１のメッセージが受信されない場合に、前記判断は、前記第１のレンジングコードに対応して、第２のメッセージを前記基地局に転送するためのアップリンク割当情報が、前記タイマーが満了する前に前記基地局から受信されると、前記レンジング要請に成功したと判断するように行われ、前記アップリンク割当情報が、前記タイマーが満了するまで受信されないと、前記レンジング要請に失敗したと判断するように行われるとよい。
【００１９】
また、前記第１のメッセージは、前記第１のメッセージが参照するレンジング機会を含む少なくとも一つのフレームを指示するフレーム指示子、前記フレーム指示子フィールドが指示する各フレームのレンジング機会に受信されたコードのデコーディング状態を指示するビットマップ（ＲＮＧ−ＡＣＫ  Ｂｉｔｍａｐ）、及び前記レンジング機会で成功的にデコーディングされた少なくとも一つのレンジングコードを含むことができる。
【００２０】
また、前記判断は、前記受信された第１のメッセージに前記第１のフレームを指示するフレーム指示子フィールドが含まれ、前記第１のフレームに対するビットマップ（ＲＮＧ−ＡＣＫ  Ｂｉｔｍａｐ）に前記第１のレンジング機会に対するビットが１に設定され、前記第１のレンジングコードが含まれていると、前記レンジング要請に成功したと判断するように行われるとよい。
【００２１】
好適には、前記第１のメッセージは、レンジング肯定応答（ＡＡＩ＿ＲＮＧ−ＡＣＫ）メッセージであり、前記第２のメッセージは、レンジング要請（ＡＡＩ＿ＲＮＧ−ＲＥＱ）メッセージであり、前記タイマーは、Ｔ３１タイマーであればよい。
【００２２】
本発明の一実施例に係る、広帯域無線接続システムにおいて基地局がレンジングを行う方法は、少なくとも一つのレンジング機会を通じてレンジングコードを探知すること、前記探知の結果、少なくとも一つのレンジングコードが探知された各レンジング機会を含むフレームから既に設定されたタイマーが満了する前に、前記レンジングコードの受信状態に対する応答を含む第１のメッセージを、少なくとも一つの端末に転送することを含むことができる。
【００２３】
ここで、探知された少なくとも一つのレンジングコードのうち、成功的に受信され、かつ、アップリンク転送パラメータを修正する必要がない第１のレンジングコードを転送した第１の端末に、第２のメッセージの転送のためのアップリンクリソース割当情報を転送することをさらに含み、この場合、前記第１のメッセージでは前記第１のレンジングコードに対する応答が省かれてもよい。
【００２４】
また、前記第１のメッセージは、前記第１のメッセージが参照するレンジング機会を含む少なくとも一つのフレームを指示するフレーム指示子、前記フレーム指示子フィールドが指示する各フレームのレンジング機会に受信されたコードのデコーディング状態を指示するビットマップ（ＲＮＧ−ＡＣＫ  Ｂｉｔｍａｐ）、及び前記レンジング機会で成功的にデコーディングされた少なくとも一つのレンジングコードを含むことができる。
【００２５】
一方、前記フレーム指示子は、前記フレーム指示子が指示するフレームを含むスーパーフレームの番号を指示する少なくとも一つのビット、及び前記スーパーフレーム内で前記フレームの番号を指示する少なくとも一つのビットを含むことができる。
【００２６】
好適には、前記第１のメッセージは、レンジング肯定応答（ＡＡＩ＿ＲＮＧ−ＡＣＫ）メッセージであり、前記第２のメッセージは、レンジング要請（ＡＡＩ＿ＲＮＧ−ＲＥＱ）メッセージであり、前記タイマーは、Ｔ３１タイマーであればよい。
【００２７】
本発明の一実施例に係る、広帯域無線接続システムにおいてレンジングを行う端末装置は、プロセッサと、前記プロセッサの制御によって外部と無線信号を送受信するための無線通信（ＲＦ）モジュールと、を備え、前記プロセッサは、レンジング要請のための第１のレンジングコードを第１のフレームの第１のレンジング機会（ｒａｎｇｉｎｇ  ｏｐｐｏｒｔｕｎｉｔｙ）を通じて基地局に転送し、前記第１のレンジングコードに対する応答を含む第１のメッセージが転送される限界時点を指示するタイマーが満了する前に、前記基地局から前記第１のメッセージが受信されると、該第１のメッセージを用いて前記レンジング要請に成功したか否かを判断するように制御することができる。
【００２８】
ここで、前記第１のメッセージに、前記第１のレンジングコードに対する応答が含まれていないか、または、前記タイマーが満了するまで前記第１のメッセージが受信されない場合に、前記プロセッサは、前記第１のレンジングコードに対応して、第２のメッセージを前記基地局に転送するためのアップリンク割当情報が、前記タイマーが満了する前に前記基地局から受信されると、前記レンジング要請に成功したと判断し、前記アップリンク割当情報が前記タイマーが満了するまで受信されないと、前記レンジング要請に失敗したと判断することができる。
【００２９】
また、前記第１のメッセージは、前記第１のメッセージが参照するレンジング機会を含む少なくとも一つのフレームを指示するフレーム指示子、前記フレーム指示子フィールドが指示する各フレームのレンジング機会に受信されたコードのデコーディング状態を指示するビットマップ（ＲＮＧ−ＡＣＫ  Ｂｉｔｍａｐ）、及び前記レンジング機会で成功的にデコーディングされた少なくとも一つのレンジングコードを含むことができる。
【００３０】
また、前記プロセッサは、前記受信された第１のメッセージに前記第１のフレームを指示するフレーム指示子フィールドが含まれ、前記第１のフレームに対するビットマップ（ＲＮＧ−ＡＣＫ  Ｂｉｔｍａｐ）に前記第１のレンジング機会に対するビットが１に設定され、前記第１のレンジングコードが含まれていると、前記レンジング要請に成功したと判断することができる。
【００３１】
好適には、前記第１のメッセージは、レンジング肯定応答（ＡＡＩ＿ＲＮＧ−ＡＣＫ）メッセージであり、前記第２のメッセージは、レンジング要請（ＡＡＩ＿ＲＮＧ−ＲＥＱ）メッセージであり、前記タイマーは、Ｔ３１タイマーであればよい。
【発明の効果】
【００３２】
本発明の少なくとも一実施例によれば、比較的小さいオーバーヘッドを有しながらより效率的にレンジング手順を行うことができる。
【００３３】
また、レンジングの目的に応じたレンジング肯定応答メッセージ転送時点が適用されるため、システム要求事項を満たすようにハンドオーバー手順まで效率的に行うことができる。
【００３４】
本発明で得られる効果は、以上に言及した効果に制限されず、言及していない他の効果は、下の記載から、本発明の属する技術の分野における通常の知識を有する者であれば明確に理解されるであろう。
【図面の簡単な説明】
【００３５】
【図１】本発明の一実施例に係るハンドオーバーレンジング手順の一例を示す図である。
【図２】本発明の一実施例に係るハンドオーバーレンジング手順の他の例を示す図である。
【図３】本発明の一実施例に係るハンドオーバーレンジング手順のさらに他の例を示す図である。
【図４】本発明の一実施例に係るハンドオーバーレンジング手順のさらに他の例を示す図である。
【図５】本発明の一実施例に係るハンドオーバーレンジング手順のさらに他の例を示す図である。
【図６】本発明の一実施例に係るハンドオーバーレンジング手順のさらに他の例を示す図である。
【図７】本発明の他の実施例に係る初期レンジング手順の一例を示すフローチャートである。
【図８】本発明の他の実施例に係る初期レンジング手順の他の例を示すフローチャートである。
【図９】本発明の他の実施例に係る初期レンジング手順のさらに他の例を示すフローチャートである。
【図１０】本発明の他の実施例の他の様相に係る初期レンジング手順の一例を示す図である。
【図１１】本発明の他の実施例の他の様相に係る初期レンジング手順の他の例を示す図である。
【図１２】本発明の一実施例に係るハンドオーバーレンジング手順及び他の実施例に係る初期レンジング手順が同時に行われる形態の一例を示す図である。
【図１３】本発明の他の実施例であって、送信端及び受信端の構造の一例を示すブロック図である。
【発明を実施するための形態】
【００３６】
本発明は、無線接続システムに関する。以下、本発明の実施例は、効率的なレンジング手順を行う方法及びその装置の構造を開示する。
【００３７】
以下の実施例は、本発明の構成要素及び特徴を所定の形態で結合したものである。各構成要素または特徴は、別に明示しない限り、選択的なものと考慮しなければならない。各構成要素または特徴が他の構成要素や特徴と結合しない形態で実施してもよく、一部の構成要素及び／または特徴を結合させて本発明の実施例を構成してもよい。本発明の実施例で説明される動作の順序は変更してもよい。ある実施例の一部構成や特徴は、他の実施例に含まれてもよく、他の実施例の対応する構成または特徴に代えてもよい。
【００３８】
本明細書では、本発明の実施例を、基地局と端末との間におけるデータ送受信の関係を中心に説明した。ここで、基地局は、端末と通信を直接行うネットワークの終端ノード（ｔｅｒｍｉｎａｌ  ｎｏｄｅ）としての意味を有する。本文書で、基地局により行われるとした特定動作は、場合によっては、基地局の上位ノード（ｕｐｐｅｒ  ｎｏｄｅ）により行われることもある。
【００３９】
すなわち、基地局を含む多数のネットワークノード（ｎｅｔｗｏｒｋ  ｎｏｄｅｓ）からなるネットワークにおいて、端末との通信のために行われる種々の動作は、基地局または基地局以外の他のネットワークノードにより行われうるということは自明である。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）、ＡＢＳ（Ａｄｖａｎｃｅｄ  ＢＳ）などの用語に代えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＡＭＳ（Ａｄｖａｎｃｅｄ  ＭＳ）、ＳＳ（Ｓｕｂｓｃｒｉｂｅｒ  Ｓｔａｔｉｏｎ）などの用語に代えてもよい。
【００４０】
本発明の実施例は、様々な手段により具現することができる。例えば、本発明の実施例は、ハードウェア、ファームウェア（ｆｉｒｍｗａｒｅ）、ソフトウェアまたはそれらの結合などにより具現することができる。
【００４１】
ハードウェアによる具現の場合、本発明の実施例に係る方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより具現することができる。
【００４２】
ファームウェアやソフトウェアによる具現の場合、本発明の実施例に係る方法は、以上で説明された機能または動作を行うモジュール、手順または関数などの形態とすることができる。ソフトウェアコードはメモリーユニットに記憶し、プロセッサで駆動することができる。メモリーユニットは、プロセッサの内部または外部に設けられて、既に公知の様々な手段によりプロセッサとデータを授受することができる。
【００４３】
本発明の実施例は、無線接続システムであるＩＥＥＥ  ８０２システム、３ＧＰＰシステム、３ＧＰＰ  ＬＴＥシステム及び３ＧＰＰ２システムの少なくとも一つに開示されている標準文書でサポートできる。すなわち、本発明の実施例において、本発明の技術的思想を明確にするために説明を省略した段階または部分は、上記の文書でサポートできる。また、本文書で開示している用語はいずれも、上記の標準文書により説明することができる。特に、本発明の実施例は、ＩＥＥＥ  ８０２．１６システムの標準文書であるＰ８０２．１６−２００４、Ｐ８０２．１６ｅ−２００５、Ｐ８０２．１６Ｒｅｖ２及びＩＥＥＥ  ８０２．１６ｍ文書の少なくとも一つでサーボートできる。
【００４４】
以下の説明で用いられる特定用語は、本発明の理解を助けるために提供されているもので、これらの特定用語の使用は、本発明の技術的思想から逸脱しない範囲で他の形態に変更可能である。
【００４５】
第１の実施例
本発明の一実施例によれば、基地局が端末からレンジングコードを受信した時点を基準にしてレンジング肯定応答メッセージの転送時点を決定するレンジング方法が提供される。
【００４６】
以下、本実施例に係るハンドオーバーレンジング手順を説明する。
【００４７】
まず、端末は、ｘ番目のフレームに割り当てられたレンジングチャネルから一つのレンジングチャネル（すなわち、レンジング機会：ｒａｎｇｉｎｇ  ｏｐｐｏｒｔｕｎｉｔｙ）を選択し、これを通じてハンドオーバーレンジングコードを基地局に転送する。
【００４８】
ｘ番目のフレームにおける該当のレンジング機会を通じてハンドオーバーレンジングコードを受信した基地局は、ｘ番目フレームからハンドオーバーレンジングのために設定された時間（以下、便宜上、「ｄｅｌａｙＨＯ＿ＲＮＧ＿ＡＣＫ」という。）が経過する前にまたは経過時点に（すなわち、ａｔ／ｉｎ／ｗｉｔｈｉｎ  ｘｔｈ＋ｄｅｌａｙＨＯ＿ＲＮＧ＿ＡＣＫ）、ＡＡＩ＿ＲＮＧ−ＡＣＫメッセージを端末に転送する。
【００４９】
ここで、ハンドオーバーレンジングコードは、競合ベース（ｃｏｎｔｅｎｔｉｏｎ  ｂａｓｅｄ）のハンドオーバーレンジングコードの他、ハンドオーバー目的の専用レンジングコード（ｄｅｄｉｃａｔｅｄ  ｒａｎｇｉｎｇ  ｐｒｅａｍｂｌｅ  ｃｏｄｅ）も含む。
【００５０】
以下では、本実施例に係るｄｅｌａｙＨＯ＿ＲＮＧ＿ＡＣＫを定義する。
【００５１】
ｄｅｌａｙＨＯ＿ＲＮＧ＿ＡＣＫは、レンジング肯定応答転送時間（ＲＮＧ＿ＡＣＫ＿ＴＸ＿Ｔｉｍｅ）またはＴ３１タイマー（Ｔ３１  Ｔｉｍｅｒ）と呼ぶこともできる。
【００５２】
これは１フレーム以上に設定し、フレーム単位またはスーパーフレーム単位に決定することができる。
【００５３】
また、ｄｅｌａｙＨＯ＿ＲＮＧ＿ＡＣＫは、端末と基地局間にあらかじめ固定された値として定義しておいてもよく、サービング基地局により端末に転送されるハンドオーバー関連媒体接続制御（ＭＡＣ）メッセージ（例えば、ＡＡＩ＿ＨＯ−ＣＭＤ）を通じて端末に伝達されてもよい。
【００５４】
ＭＡＣメッセージが用いられる場合に、ハンドオーバー手順においてサービング基地局とターゲット基地局間の情報交換により決定されたｄｅｌａｙＨＯ＿ＲＮＧ＿ＡＣＫ情報を端末に伝達する形態となる。この場合、ｄｅｌａｙＨＯ＿ＲＮＧ＿ＡＣＫ値に関する情報は、ＡＡＩ＿ＨＯ−ＣＭＤメッセージにおいてＣＤＭＡ＿ＲＮＧ＿ＦＬＡＧフィールドが１に設定された場合、すなわち、当該メッセージでハンドオーバーレンジングを行う旨が指示される場合にのみ含まれればよい。この方法により、ターゲット基地局は、ＡＡＩ＿ＲＮＧ−ＡＣＫメッセージの転送時点をトラフィック負荷（ｔｒａｆｆｉｃ  ｌｏａｄ）によって変更することができる。
【００５５】
ターゲット基地局は、ハンドオーバーを行う特定端末（例えば、専用レンジングコードを割り当てる場合）別に異なる値のｄｅｌａｙＨＯ＿ＲＮＧ＿ＡＣＫを適用することもでき、ハンドオーバーを行う全ての端末（すなわち、専用レンジングコードを割り当てらない場合）に同じ値のｄｅｌａｙＨＯ＿ＲＮＧ＿ＡＣＫを適用することもできる。
【００５６】
端末がＭＡＣメッセージからｄｅｌａｙＨＯ＿ＲＮＧ＿ＡＣＫ情報が得られない場合は、端末は、あらかじめ決定されたｄｅｌａｙＨＯ＿ＲＮＧ＿ＡＣＫ値によってＡＡＩ＿ＲＮＧ−ＡＣＫメッセージが基地局から転送されると判断すればよい。この場合、ＡＡＩ＿ＨＯ−ＣＭＤメッセージを通じて伝達されるｄｅｌａｙＨＯ＿ＲＮＧ＿ＡＣＫ値は、あらかじめ決定されたｄｅｌａｙＨＯ＿ＲＮＧ＿ＡＣＫ値より小さい、または、同じであると好ましい。
【００５７】
例えば、端末Ａは、ｄｅｌａｙＨＯ＿ＲＮＧ＿ＡＣＫ情報が１フレームに設定されたＡＡＩ＿ＨＯ−ＣＭＤメッセージを受信し、端末Ｂは、当該情報を受信しないことがある。この場合、ｄｅｌａｙＨＯ＿ＲＮＧ＿ＡＣＫ値が基地局から受信されない時に適用されるあらかじめ決定されたｄｅｌａｙＨＯ＿ＲＮＧ＿ＡＣＫ値は１スーパーフレームであるとする。この場合に、端末Ａは、基地局にレンジングコードを転送した次のフレームに、自身が転送したコードを基地局が正常に受信したことを意味するＡＡＩ＿ＲＮＧ−ＡＣＫメッセージを受信できないと、レンジングを再び試みる。一方、端末Ｂは、レンジングコードを基地局に転送してから次のスーパーフレームまで、自身が転送したレンジングコードを基地局が正常に受信したことを意味するＡＡＩ＿ＲＮＧ−ＡＣＫメッセージを受信できないと、レンジングを再び試みる。勿論、上述した例は、各端末に適用されるｄｅｌａｙＨＯ＿ＲＮＧ＿ＡＣＫ値が指示する時点までアップリンク割当情報（ＵＬ  ｇｒａｎｔ）を端末に与えなかった場合を仮定する。アップリンクリソースを基地局が端末に割り当てるということは、基地局が当該端末の転送したレンジングコードを正常に受信した旨を暗示的に意味するからである。
【００５８】
以下では、本実施例に係るＡＡＩ＿ＲＮＧ−ＡＣＫメッセージを説明する。
【００５９】
ＡＡＩ＿ＲＮＧ−ＡＣＫメッセージには、特定フレームの各レンジング機会（ＲＮＧ  ｏｐｐｏｒｔｕｎｉｔｙ）で受信されたレンジングコードのデコーディング状態を指示するビットマップ情報、及び当該フレーム内のレンジング機会を通じて正常に受信された全てのハンドオーバーレンジングコードが含まれる。この時、基地局がＡＡＩ＿ＲＮＧ−ＡＣＫ時点の前にＡＡＩ＿ＲＮＧ−ＲＥＱを転送するためのリソースを割り当てた端末のレンジングコードは省かれてもよい。
【００６０】
本実施例において、ｄｅｌａｙＨＯ＿ＲＮＧ＿ＡＣＫ値が指示する時点に、あるいは該時点以内に、自身が選択したレンジング機会に転送したコードに対する応答が含まれたＡＡＩ＿ＲＮＧ−ＡＣＫメッセージを端末が受信したか否かによって端末の動作を区別することができる。
【００６１】
まず、ＡＡＩ＿ＲＮＧ−ＡＣＫメッセージを端末が受信したが、１）上述のビットマップ情報が、端末により選択されたレンジング機会に受信されたレンジングコードがない旨を指示したり、２）当該レンジング機会に対して端末の転送したレンジングコードがＡＡＩ＿ＲＮＧ−ＡＣＫメッセージに含まれていないと共に、基地局からＡＡＩ＿ＲＮＧ−ＲＥＱメッセージの転送のためのアップリンクリソースが割り当てられなかった場合に、端末は、これを明示的否定応答（ｅｘｐｌｉｃｉｔ−ＮＡＣＫ）と判断することができる。
【００６２】
逆に、ＡＡＩ＿ＲＮＧ−ＡＣＫメッセージを端末が受信できなかった他、基地局からＡＡＩ＿ＲＮＧ−ＲＥＱメッセージ転送のためのアップリンクリソースも割り当てられなかった場合に、端末は、これを暗示的否定応答（ｉｍｐｌｉｃｉｔ−ＮＡＣＫ）と判断することができる。
【００６３】
一方、ＡＡＩ＿ＲＮＧ−ＡＣＫメッセージを端末が受信し、上述のビットマップ情報が、端末により選択されたレンジング機会に受信されたレンジングコードがある旨を指示し、当該レンジング機会に対して端末の転送したレンジングコードがＡＡＩ＿ＲＮＧ−ＡＣＫメッセージに含まれた場合に、端末は、これを肯定応答（ＡＣＫ）、すなわち、自身の転送したレンジングコードが正常に受信されたと判断することができる。ＡＣＫと判断したが、基地局からＡＡＩ＿ＲＮＧ−ＲＥＱメッセージの転送のためのアップリンクリソースが割り当てられなかった場合に、端末は、Ｔ３タイマーを始動し、Ｔ３タイマーの満了前にアップリンクリソースを割り当てられると、Ｔ３タイマーを中止する。Ｔ３タイマーが満了するまでアップリンクリソースを割り当てられなかったり、または否定応答（ｉｍｐｌｉｃｉｔ／ｅｘｐｌｉｃｉｔ−ＮＡＣＫ）と判断された場合に、端末は、当該レンジング手順に失敗したと判断し、レンジング手順を再開始（ｒｅｓｔａｒｔ）することができる。
【００６４】
以下、図１を参照して、上述したｄｅｌａｙＨＯ＿ＲＮＧ＿ＡＣＫ及びＡＡＩ＿ＲＮＧ−ＡＣＫメッセージに含まれた情報によるレンジング手順を説明する。
【００６５】
図１は、本発明の一実施例に係るレンジング手順の一例を示す図である。
【００６６】
図１で、ｄｅｌａｙＨＯ＿ＲＮＧ＿ＡＣＫは１フレームであり、Ｘｔｈ＋ｄｅｌａｙＨＯ＿ＲＮＧ＿ＡＣＫ以内に基地局が端末にＡＡＩ＿ＲＮＧ−ＲＥＱメッセージを転送するためのアップリンク割当情報を転送しないと仮定する。
【００６７】
図１を参照すると、端末は、Ｘ番目のフレームでランダムに選択した（専用レンジングの場合に、専用で割り当てられた）ハンドオーバーレンジング機会を通じて、ハンドオーバーレンジングコードをターゲット基地局に転送する（Ｓ１０１）
端末は、ｄｅｌａｙＨＯ＿ＲＮＧ＿ＡＣＫにより指示される時点（すなわち、Ｘｔｈ＋ｄｅｌａｙＨＯ＿ＲＮＧ＿ＡＣＫ）が経過するまで、基地局からＡＡＩ＿ＲＮＧ−ＡＣＫメッセージを待つ（Ｓ１０２）。
【００６８】
当該時点以内にＡＡＩ＿ＲＮＧ−ＡＣＫメッセージを受信した場合に、端末は、該メッセージのＸ番目のフレームに対するビットマップ（ＲＮＧ−ＡＣＫ  Ｂｉｔｍａｐ）において、自身がレンジングコードを転送したレンジング機会に対応するビットが１に設定されているか否かを判断する（Ｓ１０３）。
【００６９】
ビットマップにおける該当のビットが１に設定されていると、端末は、自身の転送したレンジングコードが当該メッセージに含まれているか否かを確認する（Ｓ１０４）。
【００７０】
自身の転送したレンジングコードが含まれていると、端末は、レンジングコード転送に成功したと判断（ＡＣＫ）し、Ｔ３タイマーを始動し、ＡＡＩ＿ＲＮＧ−ＲＥＱメッセージを転送するためのアップリンクリソース割当を待つ。
【００７１】
段階Ｓ１０２乃至Ｓ１０４の判断結果のいずれか一方でも否定（ｎｏ）であれば、端末は、レンジングコードの転送に失敗したと判断し、レンジングコードをターゲット基地局に再転送する。
【００７２】
以下では、ｄｅｌａｙＨＯ＿ＲＮＧ＿ＡＣＫパラメータがＡＡＩ＿ＨＯ−ＣＭＤメッセージを通じて割り当てられる場合についてより詳細に説明する。
【００７３】
ハンドオーバー準備段階（ＨＯ  ｐｒｅｐａｒａｔｉｏｎ  ｐｈａｓｅ）において、レンジングコードを用いたハンドオーバーレンジング（ＣＤＭＡ−ｂａｓｅｄ  ＨＯ  ｒａｎｇｉｎｇ）が省略されない限り、ターゲット基地局はサービング基地局に、ＡＡＩ＿ＲＮＧ−ＡＣＫメッセージが転送される時点情報（すなわち、ｄｅｌａｙＨＯ＿ＲＮＧ＿ＡＣＫ）を知らせ、続いて、サービング基地局はこれをＡＡＩ＿ＨＯ−ＣＭＤメッセージに含めて端末に知らせる。
【００７４】
ハンドオーバー実行段階（ＨＯ  Ｅｘｅｃｕｔｉｏｎ  ｐｈａｓｅ）において、端末は、ハンドオーバーレンジングコードをターゲット基地局に転送する。この時、端末は、下記条件のいずれか一つでも満足すると、ハンドオーバーレンジング手順を再開始する。
【００７５】
−  端末がレンジングコードを転送したレンジング機会に当該レンジングコードを含むＡＡＩ＿ＲＮＧ−ＡＣＫメッセージまたはＡＡＩ＿ＲＮＧ−ＲＥＱメッセージ転送のためのＵＬ＿ｇｒａｎｔをＴ３１タイマーが満了するまで受信できない場合。ここで、ＡＡＩ＿ＲＮＧ−ＡＣＫメッセージを受信できないということは、Ｔ３１タイマーが満了するまで、端末の選択したレンジング機会に対応するビットがＲＮＧ＿ＡＣＫビットマップに１に設定されたＡＡＩ＿ＲＮＧ−ＡＣＫメッセージを受信できない場合、または、ＡＡＩ＿ＲＮＧ−ＡＣＫメッセージで該当のビットが１に設定されていても、端末の転送したコードを含んでいない場合を指す。
【００７６】
−  レンジングコード転送には成功したが、Ｔ３タイマーが満了するまでＡＡＩ＿ＲＮＧ−ＲＥＱメッセージ転送のためのＵＬ＿ｇｒａｎｔを受信できなかった場合、または、ＡＡＩ＿ＲＮＧ−ＲＥＱメッセージ転送してからＴ３タイマーが満了するまで、ＡＡＩ＿ＲＮＧ−ＲＳＰメッセージを受信できなかった場合。
【００７７】
−  ＡＡＩ＿ＲＮＧ−ＲＥＱ／ＲＳＰ交換が１２８フレーム内に完了していない場合。
【００７８】
ハンドオーバー実行段階（ＨＯ  Ｅｘｅｃｕｔｉｏｎ  ｐｈａｓｅ）において、基地局は、少なくとも一つのレンジングコードが検出されたフレームからＴ３１タイマーが満了する前に、ＡＡＩ＿ＲＮＧ−ＡＣＫメッセージを転送しなければならない。もし、基地局が、受信したレンジングコードに対してＴ３１タイマー満了以前にＵＬ  ｇｒａｎｔを転送した場合は、当該レンジングコードに対する応答はＡＡＩ＿ＲＮＧ−ＡＣＫメッセージにおいて省略されてもよい。もし、成功的に受信したレンジングコードがない場合は、基地局はＡＡＩ＿ＲＮＧ−ＡＣＫメッセージの転送を省略することもある。
【００７９】
以下、図２乃至図５を参照して、ターゲット基地局がサービング基地局にＡＡＩ＿ＲＮＧ−ＡＣＫメッセージの転送される時点情報を知らせる場合におけるハンドオーバーレンジング手順について説明する。図２乃至図５では、Ｔ３１タイマーをレンジング肯定応答転送時間（ＲＮＧ＿ＡＣＫ＿ＴＸ＿Ｔｉｍｅ）と表示する。
【００８０】
図２は、本発明の一実施例に係るハンドオーバーレンジング手順の他の例を示す図である。
【００８１】
図２を参照すると、端末は、ターゲット基地局へとハンドオーバーを行うために、ハンドオーバー要請（ＡＡＩ＿ＨＯ−ＲＥＱ）メッセージをサービング基地局に転送する（Ｓ２０１）。
【００８２】
これにより、サービング基地局はターゲット基地局とハンドオーバーのためのパラメータ交渉を行う（Ｓ２０２、Ｓ２０３）。この時、ハンドオーバー応答バックボーンメッセージによって、ＡＡＩ＿ＲＮＧ−ＡＣＫメッセージの転送される時間を指示するＲＮＧ＿ＡＣＫ＿ＴＸ＿Ｔｉｍｅ情報が、ターゲット基地局からサービング基地局に搬送される（Ｓ２０３）。
【００８３】
サービング基地局は、ターゲット基地局から受信したＲＮＧ＿ＡＣＫ＿ＴＸ＿Ｔｉｍｅ情報を、ＡＡＩ＿ＨＯ−ＣＭＤメッセージを用いて端末に転送する（Ｓ２０４）。
【００８４】
ＡＡＩ＿ＨＯ−ＣＭＤメッセージを受信した端末は、ターゲット基地局にハンドオーバーレンジングコードを転送し、ＲＮＧ＿ＡＣＫ＿ＴＸ＿Ｔｉｍｅ情報が指示する時点が満了するまでＡＡＩ＿ＲＮＧ−ＡＣＫメッセージを待つ（Ｓ２０５）。
【００８５】
端末は、ターゲット基地局から、自身が転送したレンジングコードに対する応答として、レンジング状態が成功（ｓｕｃｃｅｓｓ）である旨を指示するＡＡＩ＿ＲＮＧ−ＡＣＫメッセージを受信する（Ｓ２０６）。
【００８６】
ここで、ＡＡＩ＿ＲＮＧ−ＡＣＫメッセージには、端末がレンジングコードを転送したフレームに対するビットマップ（ＲＮＧ−ＡＣＫ  Ｂｉｔｍａｐ）において、端末がレンジングコードを転送したレンジング機会に対応するビットが１に設定されており、かつ、転送したレンジングコードが当該メッセージに含まれる。
【００８７】
その後、ターゲット基地局は端末にＡＡＩ＿ＲＮＧ−ＲＥＱメッセージを転送するためのアップリンクリソースを割り当て（Ｓ２０７）、端末は、当該リソースを用いてＡＡＩ＿ＲＮＧ−ＲＥＱメッセージをターゲット基地局に転送する（Ｓ２０８）。
【００８８】
図３は、本発明の一実施例に係るハンドオーバーレンジング手順の他の例を示す図である。
【００８９】
図３で、Ｓ３０１段階乃至Ｓ３０５段階は、図２におけるＳ２０１段階乃至Ｓ２０５段階とそれぞれ類似しており、明細書の簡明さのために重複説明は省略する。
【００９０】
Ｓ３０６段階で、ＲＮＧ＿ＡＣＫ＿ＴＸ＿Ｔｉｍｅ情報が指示する時点が満了する前に、ターゲット基地局は、ＡＡＩ＿ＲＮＧ−ＲＥＱメッセージを転送するためのアップリンクリソース割当情報を、端末に転送する（Ｓ３０６）。
【００９１】
そのため、端末は、ＡＡＩ＿ＲＮＧ−ＡＣＫメッセージを受信しなくとも、当該アップリンクリソース割当情報の転送を、自身が転送したハンドオーバーレンジングコードに対する暗示的なＡＣＫと判断し、割り当てられたアップリンクリソースを通じてＡＡＩ＿ＲＮＧ−ＲＥＱメッセージをターゲット基地局に転送する（Ｓ３０７）。
【００９２】
図４は、本発明の一実施例に係るハンドオーバーレンジング手順のさらに他の例を示す図である。
【００９３】
図４で、Ｓ４０１段階乃至Ｓ４０５段階は、図２におけるＳ２０１段階乃至Ｓ２０５段階とそれぞれ類似しており、明細書の簡明さのために重複説明は省略する。
【００９４】
端末は、ターゲット基地局から、レンジング状態がコンティニュー（ｃｏｎｔｉｎｕｅ）である旨を指示するＡＡＩ＿ＲＮＧ−ＡＣＫメッセージを受信する（Ｓ４０６）。
【００９５】
ここで、ＡＡＩ＿ＲＮＧ−ＡＣＫメッセージには、端末がレンジングコードを転送したフレームに対するビットマップ（ＲＮＧ−ＡＣＫ  Ｂｉｔｍａｐ）のビットのうち、端末がレンジングコードを転送したレンジング機会に対応するビットが１に設定されており、かつ、転送したレンジングコードが当該メッセージに含まれる。また、レンジング状態がコンティニューである旨を指示するＡＡＩ＿ＲＮＧ−ＡＣＫメッセージには、物理パラメータ補正値情報がさらに含まれてもよい。
【００９６】
そのため、端末は、物理補正値情報を適用してターゲット基地局にレンジングコードを再転送することができる（Ｓ４０７）。
【００９７】
図５は、本発明の一実施例に係るハンドオーバーレンジング手順のさらに他の例を示す図である。
【００９８】
図５で、Ｓ５０１段階乃至Ｓ５０５段階は、図２におけるＳ２０１段階乃至Ｓ２０５段階とそれぞれ類似しており、明細書の簡明さのために重複説明は省略する。
【００９９】
ＲＮＧ＿ＡＣＫ＿ＴＸ＿Ｔｉｍｅ情報が指示する時点まで端末が基地局からＡＡＩ＿ＲＮＧ−ＡＣＫメッセージを受信できなかった場合に、ＡＡＩ＿ＲＮＧ−ＲＥＱメッセージを転送するためのアップリンクリソースも割り当てられなかったため、端末は、当該レンジング手順に失敗したと判断することができる（Ｓ５０６）。
【０１００】
そのため、端末はレンジング手順を再開始する（Ｓ５０７）。
【０１０１】
図６は、本発明の一実施例に係るハンドオーバーレンジング手順のさらに他の例を示す図である。
【０１０２】
図６では、図２におけるＳ２０１段階乃至Ｓ２０５段階が行われた後の状況を仮定する。
【０１０３】
端末はターゲット基地局に３８番のハンドオーバーレンジングコードを転送する（Ｓ６０１）。
【０１０４】
ＲＮＧ＿ＡＣＫ＿ＴＸ＿Ｔｉｍｅ情報が指示する時点が経過する前に基地局からＡＡＩ＿ＲＮＧ−ＡＣＫメッセージを受信し、かつ端末の選択したレンジング機会に対応するＲＮＧ−ＡＣＫビットマップのビットが１であるが、該メッセージに５、１６及び３５番のコードが含まれる場合がある（Ｓ６０２）。
【０１０５】
このような場合を、端末は明示的否定応答（ｅｘｐｌｉｃｉｔ−ＮＡＣＫ）と判断し、レンジング手順を再開始し、ランダムに選択された５７番のハンドオーバーレンジングコードをターゲット基地局に転送することができる（Ｓ６０３）。
【０１０６】
第２の実施例
本発明の他の実施例では、端末から転送されたレンジングコードに対する応答としてＡＡＩ＿ＲＮＧ−ＡＣＫメッセージが転送される時点を定義し、これを用いる効率的な初期レンジング手順が提供される。
【０１０７】
以下、本実施例に係る初期レンジング手順について説明する。
【０１０８】
まず、端末は、Ｘ番目のフレームにおいて初期レンジング用途のレンジング機会からランダムに選択されたレンジング機会を通じて初期レンジングコードを基地局に転送する。
【０１０９】
基地局は、当該フレームで少なくとも一つの初期レンジングコードが探知されると、Ｘ番目のフレームから初期レンジングに対して設定された所定時間（以下、便宜上、ｄｅｌａｙＩＮＩＴＩＡＬ＿ＲＮＧ＿ＡＣＫと称する。）が経過する前に、ＡＡＩ＿ＲＮＧ−ＡＣＫメッセージを転送する。
【０１１０】
この時、ｄｅｌａｙＩＮＩＴＩＡＬ＿ＲＮＧ＿ＡＣＫは、フレーム単位（例えば、４フレーム以上）あるいはスーパーフレーム単位に設定することができる。すなわち、ｄｅｌａｙＩＮＩＴＩＡＬ＿ＲＮＧ＿ＡＣＫ値が１スーパーフレームであれば、任意のスーパーフレーム内に割り当てられた初期レンジング機会のいずれか一つでも初期レンジングコードが検出されると、基地局は、そのスーパーフレームが終わる前にＡＡＩ＿ＲＮＧ−ＡＣＫメッセージを転送しなければならない。
【０１１１】
もし、基地局がハンドオーバーに対するＡＡＩ＿ＲＮＧ−ＡＣＫを転送するとすれば、ハンドオーバーレンジングコードに対する応答に加えて、探知された当該初期レンジングコードに対する応答も転送することができる。
【０１１２】
以下、本実施例に係るＡＡＩ＿ＲＮＧ−ＡＣＫメッセージについて説明する。
【０１１３】
ＡＡＩ＿ＲＮＧ−ＡＣＫメッセージには、少なくとも一つのフレーム内の各レンジング機会（ＲＮＧ  ｏｐｐｏｒｔｕｎｉｔｙ）で受信したレンジングコードのデコーディング状態を指示するビットマップ情報、及び各フレーム内のレンジング機会を通じて正常に受信した全ての初期レンジングコードが含まれる。この時、基地局がＡＡＩ＿ＲＮＧ−ＡＣＫ転送時点の前にＡＡＩ＿ＲＮＧ−ＲＥＱを転送するためのリソースを割り当てた端末のレンジングコードは省略されてもよい。
【０１１４】
ＡＡＩ＿ＲＮＧ−ＡＣＫメッセージに複数のフレーム内のレンジング機会を通じて受信された初期レンジングコードに対する応答が含まれる場合に、ＡＡＩ＿ＲＮＧ−ＡＣＫメッセージには、各フレームを指示するためにフレームインデックス（あるいはフレーム指示子（ｆｒａｍｅ  ｉｎｄｉｃａｔｏｒ））情報を含むことができる。初期レンジングの場合にも、ｄｅｌａｙＩＮＩＴＩＡＬ＿ＲＮＧ＿ＡＣＫ値が指示する時点以前にＡＡＩ＿ＲＮＧ−ＲＥＱを転送するためのリソースを割り当てたレンジングコードが存在する場合に、該コードに対する応答情報はＡＡＩ＿ＲＮＧ−ＡＣＫメッセージから省かれてもよい。
【０１１５】
本実施例でｄｅｌａｙＩＮＩＴＩＡＬ＿ＲＮＧ＿ＡＣＫ値が指示する時点にあるいは該時点内に、端末自身が選択したレンジング機会に転送した初期レンジングコードに対する応答が含まれているＡＡＩ＿ＲＮＧ−ＡＣＫメッセージを端末が受信したか否かによって、端末の動作を区別することができる。
【０１１６】
まず、ＡＡＩ＿ＲＮＧ−ＡＣＫメッセージを端末が受信したが、１）上述のビットマップ情報が、端末により選択されたレンジング機会に受信されたレンジングコードがないことを指示したり、２）当該レンジング機会に対して端末が転送したレンジングコードがＡＡＩ＿ＲＮＧ−ＡＣＫメッセージに含まれていないと共に、基地局からＡＡＩ＿ＲＮＧ−ＲＥＱメッセージ転送のためのアップリンクリソースを割り当てられなかった場合に、端末はこれを明示的否定応答（ｅｘｐｌｉｃｉｔ−ＮＡＣＫ）と判断することができる。
【０１１７】
逆に、ＡＡＩ＿ＲＮＧ−ＡＣＫメッセージを端末が受信できなかった他、基地局からＡＡＩ＿ＲＮＧ−ＲＥＱメッセージ転送のためのアップリンクリソースも割り当てられなかった場合に、端末はこれを暗示的否定応答（ｉｍｐｌｉｃｉｔ−ＮＡＣＫ）と判断することができる。
【０１１８】
一方、ＡＡＩ＿ＲＮＧ−ＡＣＫメッセージを端末が受信し、上述のビットマップ情報が、端末により選択されたレンジング機会に受信されたレンジングコードがある旨を指示し、当該レンジング機会に対して端末の転送したレンジングコードがＡＡＩ＿ＲＮＧ−ＡＣＫメッセージに含まれている場合に、端末はこれを肯定応答（ＡＣＫ）、すなわち、自身が転送したレンジングコードが正常に受信されたと判断することができる。ＡＣＫと判断されたが、基地局からＡＡＩ＿ＲＮＧ−ＲＥＱメッセージ転送のためのアップリンクリソースを割り当てられなかった場合に、端末は、Ｔ３タイマーを始動させ、Ｔ３タイマー満了前にアップリンクリソースを割り当てられると、Ｔ３タイマーを中止させる。Ｔ３タイマーが満了するまでアップリンクリソースを割り当てられなかった場合に、または、否定応答（ｉｍｐｌｉｃｉｔ／ｅｘｐｌｉｃｉｔ−ＮＡＣＫ）と判断された場合に、端末は、当該レンジング手順に失敗したと判断し、レンジング手順を再開始（ｒｅｓｔａｒｔ）することができる。
【０１１９】
以下、図７乃至図９を参照して、本実施例に係る初期レンジング手順を説明する。
【０１２０】
図７は、本発明の他の実施例に係る初期レンジング手順の一例を示すフローチャートである。
【０１２１】
図７では、ｄｅｌａｙＩＮＩＴＩＡＬ＿ＲＮＧ＿ＡＣＫ値が１スーパーフレームであり、Ｘ番目のスーパーフレーム内の任意の初期レンジングのためのレンジング機会を通じて、端末が初期レンジングコードを基地局に転送し、Ｘｔｈ＋ｄｅｌａｙＩＮＩＴＩＡＬ＿ＲＮＧ＿ＡＣＫ以内に、基地局が端末にＡＡＩ＿ＲＮＧ−ＲＥＱメッセージを転送するためのアップリンク割当情報を転送しないと仮定する。なお、基地局がｄｅｌａｙＩＮＩＴＩＡＬ＿ＲＮＧ＿ＡＣＫ情報が指示する時点までＡＡＩ＿ＲＮＧ−ＡＣＫメッセージの転送を延ばさず、当該初期レンジングコード情報を含むことができる場合を仮定する。
【０１２２】
図７を参照すると、端末は、Ｘ番目のスーパーフレームでランダムに選択した初期レンジング機会を通じて初期レンジングコードを基地局に転送する（Ｓ７０１）
端末は、ｄｅｌａｙＩＮＩＴＩＡＬ＿ＲＮＧ＿ＡＣＫにより指示される時点（すなわち、Ｘｔｈ＋ｄｅｌａｙＩＮＩＴＩＡＬ＿ＲＮＧ＿ＡＣＫ）が経過する（すなわち、現在スーパーフレーム＋１スーパーフレーム）まで、基地局からＡＡＩ＿ＲＮＧ−ＡＣＫメッセージを待つ（Ｓ７０２）。
【０１２３】
この時点以内にＡＡＩ＿ＲＮＧ−ＡＣＫメッセージを受信した場合（Ｓ７０３）に、端末は、当該メッセージのビットマップ（ＲＮＧ−ＡＣＫ  Ｂｉｔｍａｐ）に、自身がレンジングコードを転送したレンジング機会に対応するビットが１に設定されているか否かを判断する（Ｓ７０４）。
【０１２４】
ビットマップの該当ビットが１に設定されている場合に、端末は、自身の転送したレンジングコードが当該メッセージに含まれているか否かを確認する（Ｓ７０５）。
【０１２５】
自身の転送したレンジングコードが含まれている場合に、端末は、レンジングコード転送に成功したと判断（ＡＣＫ）し、Ｔ３タイマーを始動させ、ＡＡＩ＿ＲＮＧ−ＲＥＱメッセージを転送するためのアップリンクリソース割当を待つ（Ｓ７０６）。
【０１２６】
段階Ｓ７０２乃至Ｓ７０５の判断結果のいずれか一つでも否定（ｎｏ）であれば、現在のスーパーフレームがＸ＋１番目のスーパーフレームであり、かつ最後のダウンリンクフレームであれば（Ｓ７１０）、当該初期レンジング手順に失敗したと判断し、既に設定された再試行回数を考慮して、初期レンジング手順を再開始する。そのために、端末は基地局に、ランダムに選択された初期レンジングコードを転送する（Ｓ７１１）。
【０１２７】
段階Ｓ７１０の判断において、現在のスーパーフレームがＸ番目のフレームである、または、Ｘ＋１番目のフレームではあるが、最後のダウンリンクフレームではないと、端末は再びＳ７０２段階を行う。
【０１２８】
図８は、本発明の他の実施例に係る初期レンジング手順の他の例を示すフローチャートである。
【０１２９】
図８でも、ｄｅｌａｙＩＮＩＴＩＡＬ＿ＲＮＧ＿ＡＣＫ値が１スーパーフレームであり、Ｘ番目のスーパーフレーム内の任意の初期レンジングのためのレンジング機会を通じて、端末が初期レンジングコードを基地局に転送し、Ｘｔｈ＋ｄｅｌａｙＩＮＩＴＩＡＬ＿ＲＮＧ＿ＡＣＫ以内に基地局が端末にＡＡＩ＿ＲＮＧ−ＲＥＱメッセージを転送するためのアップリンク割当情報を転送しないと仮定する。ただし、基地局がｄｅｌａｙＩＮＩＴＩＡＬ＿ＲＮＧ＿ＡＣＫ情報が指示する時点までＡＡＩ＿ＲＮＧ−ＡＣＫメッセージの転送を延ばさず、当該初期レンジングコード情報を必ず含む場合を仮定する。
【０１３０】
図８を参照すると、端末は、Ｘ番目のスーパーフレームでランダムに選択した初期レンジング機会を通じて初期レンジングコードを基地局に転送する（Ｓ８０１）。
【０１３１】
端末は、ｄｅｌａｙＩＮＩＴＩＡＬ＿ＲＮＧ＿ＡＣＫにより指示される時点（すなわち、Ｘｔｈ＋ｄｅｌａｙＩＮＩＴＩＡＬ＿ＲＮＧ＿ＡＣＫ）が経過する（すなわち、現在スーパーフレーム＋１スーパーフレーム）まで、基地局からＡＡＩ＿ＲＮＧ−ＡＣＫメッセージを待つ（Ｓ８０２）。
【０１３２】
この時点以内にＡＡＩ＿ＲＮＧ−ＡＣＫメッセージを受信していない場合（Ｓ８０３）に、端末は、現在のスーパーフレームがＸ番目のフレームである場合、または、Ｘ＋１番目のフレームではあっても最後のダウンリンクフレームではない場合に、端末は再びＳ８０２段階を行う。逆に、現在のスーパーフレームがＸ＋１番目のスーパーフレームであり、かつ最後のダウンリンクフレームであれば、当該初期レンジング手順に失敗したと判断し、既に設定された再試行回数を考慮して、初期レンジング手順を再開始する。そのために、端末は基地局に、ランダムに選択された初期レンジングコードを転送する（Ｓ８１０、Ｓ８１１）。
【０１３３】
ｄｅｌａｙＩＮＩＴＩＡＬ＿ＲＮＧ＿ＡＣＫにより指示される時点以内にＡＡＩ＿ＲＮＧ−ＡＣＫメッセージを受信した場合に、端末は、当該メッセージのビットマップ（ＲＮＧ−ＡＣＫ  Ｂｉｔｍａｐ）に、自身がレンジングコードを転送したレンジング機会に対応するビットが１に設定されているか否かを判断する（Ｓ８０４）。
【０１３４】
ビットマップの該当ビットが１に設定されている場合に、端末は、自身の転送したレンジングコードが当該メッセージに含まれているか否か確認する（Ｓ８０５）。
【０１３５】
自身の転送したレンジングコードが含まれていると、端末は、レンジングコード転送に成功したと判断（ＡＣＫ）し、Ｔ３タイマーを始動させ、ＡＡＩ＿ＲＮＧ−ＲＥＱメッセージを転送するためのアップリンクリソース割当を待つ（Ｓ８０６）。
【０１３６】
端末は、受信したＡＡＩ＿ＲＮＧ−ＡＣＫメッセージにおいて、自身がレンジングコードを転送したレンジング機会に対応するビットが１に設定されていない場合、または、該ビットが１に設定されていても、自身の転送したコードが含まれていない場合は、当該レンジング手順に失敗したと判断する。この場合、端末は、既に設定された再試行回数を考慮して、初期レンジングを再開始することができる（Ｓ８１１）。
【０１３７】
一方、本実施例に係る初期レンジング手順では、端末と基地局の処理時間をさらに考慮することができる。基地局の処理時間が３サブフレームであるとすれば、３サブフレームが経過する前に受信されたＡＡＩ＿ＲＮＧ−ＡＣＫメッセージには、端末の転送したレンジングコードに対する応答が含まれないことがあり、よって、基地局あるいは端末の側面での制約条件が必要である。そのために、本実施例では、基地局はＡＡＩ＿ＲＮＧ−ＡＣＫメッセージを該当のスーパーフレームの最後のダウンリンクサブフレームに常にスケジューリングすることを提案する。または、端末は、初期レンジングコードを基地局に転送したサブフレームから３サブフレーム以前にＡＡＩ＿ＲＮＧ−ＡＣＫメッセージを受信すると、これを無視するようにする。これについて、図９を参照して説明する。
【０１３８】
図９は、本発明の他の実施例に係る初期レンジング手順のさらに他の例を示すフローチャートである。
【０１３９】
図９でも、ｄｅｌａｙＩＮＩＴＩＡＬ＿ＲＮＧ＿ＡＣＫ値が１スーパーフレームであり、Ｘ番目のスーパーフレーム内の任意の初期レンジングのためのレンジング機会を通じて、端末が初期レンジングコードを基地局に転送し、Ｘｔｈ＋ｄｅｌａｙＩＮＩＴＩＡＬ＿ＲＮＧ＿ＡＣＫ以内に基地局が端末にＡＡＩ＿ＲＮＧ−ＲＥＱメッセージを転送するためのアップリンク割当情報を転送しないと仮定する。なお、基地局がｄｅｌａｙＩＮＩＴＩＡＬ＿ＲＮＧ＿ＡＣＫ情報が指示する時点までＡＡＩ＿ＲＮＧ−ＡＣＫメッセージの転送を延ばさず、当該初期レンジングコード情報を必ず含む場合を仮定する。
【０１４０】
図９を参照すると、図９の各段階は図８の各段階に類似しており、ただし、Ｓ９０４段階で３サブフレームが経過したか否かを判断する。これは、基地局の初期レンジングコード処理時間（ｐｒｏｃｅｓｓｉｎｇ  ｔｉｍｅ）を考慮したもので、基地局の処理時間を３サブフレームとすれば、端末は、初期レンジングコードを基地局に転送したサブフレームから３サブフレーム以前にＡＡＩ＿ＲＮＧ−ＡＣＫメッセージを受信すると、これを無視し、再びＳ９０２段階に戻る。
【０１４１】
図９は、Ｓ９０４段階が追加された以外は、図８と略同様であり、重複説明は省略する。
【０１４２】
本実施例の他の様相では、ＡＡＩ＿ＲＮＧ−ＡＣＫメッセージの転送が省略される場合に、これを端末が暗黙的な肯定応答（ｉｍｐｌｉｃｉｔ−ＡＣＫ）と認識することを提案する。
【０１４３】
以下、本実施例の他の様相に係る基地局と端末の動作について説明する。
【０１４４】
まず、基地局では、少なくとも一つの初期レンジングコードが探知されたフレームからｄｅｌａｙＩＮＩＴＩＡＬ＿ＲＮＧ＿ＡＣＫ値が指示する時点以内に、ＡＡＩ＿ＲＮＧ−ＡＣＫメッセージを転送する。ＡＡＩ＿ＲＮＧ−ＡＣＫメッセージには、フレーム指示子フィールドが指示するフレームにおいて各レンジング機会（ＲＮＧ  ｏｐｐｏｒｔｕｎｉｔｙ）で受信したレンジングコードのデコーディング状態を指示するビットマップ情報、及び当該フレーム内のレンジング機会を通じて正常に受信した全ての初期レンジングコードが含まれる。この時、基地局がＡＡＩ＿ＲＮＧ−ＡＣＫ転送時点前にＡＡＩ＿ＲＮＧ−ＲＥＱを転送するためのリソースを割り当てた端末のレンジングコードは省略することができる。
【０１４５】
もし、いかなる成功的に受信したレンジングコードに対する応答もＡＡＩ＿ＲＮＧ−ＡＣＫメッセージに含めない場合は、基地局は、当該メッセージの転送を省略することができる。
【０１４６】
また、フレーム指示子フィールドが指示するフレームにおいて各レンジング機会（ＲＮＧ  ｏｐｐｏｒｔｕｎｉｔｙ）で探知されたレンジングコードのレンジング状態がいずれも「成功（ｓｕｃｃｅｓｓ）」である場合にも、基地局は、ＡＡＩ＿ＲＮＧ−ＡＣＫメッセージの転送を省略することができる。ただし、これは、ＡＡＩ＿ＲＮＧ−ＡＣＫメッセージ内に含まれた探知されたレンジングコードにハンドオーバーレンジングコードが存在しない場合に限って適用可能である。
【０１４７】
端末は、ＡＡＩ＿ＲＮＧ−ＡＣＫメッセージに、自身が初期レンジングコードを転送したレンジング機会に成功的に受信されたレンジングコードがない旨が指示されている場合、または、自身の転送したレンジングコードが存在しない場合に、当該レンジング手順に失敗したと判断し、初期レンジング手順を再開始することができる。その他の場合は、端末は、当該レンジングコードの転送に成功したと判断する。
【０１４８】
基地局がＡＡＩ＿ＲＮＧ−ＡＣＫメッセージの転送を省略することができるため、該当の転送時点以内に自身に該当するＲＮＧ−ＡＣＫを受信しなくとも、初期レンジングコードを転送した端末は、自身が転送したコードに対する基地局の応答を暗黙的肯定応答（ｉｍｐｌｉｃｉｔ−ＡＣＫ）と判断することができる。したがって、この場合、端末は該当の転送時点以内にＡＡＩ＿ＲＮＧ−ＡＣＫを受信しなくてもレンジングコードを再転送しない。
【０１４９】
上述の方法を用いると、初期レンジングはハンドオーバーレンジングとは違い、迅速な手順の完了に敏感性が大きくないため、シグナリングオーバーヘッドが減少する効果がある。以下、上述の方法を、図１０及び図１１を参照して説明する。
【０１５０】
図１０は、本発明の他の実施例の他の様相に係る初期レンジング手順の一例を示す図である。
【０１５１】
図１０を参照すると、端末は、まず、初期レンジングコードを基地局に転送する（Ｓ１０１０）。
【０１５２】
これにより、基地局は、ｄｅｌａｙＩＮＩＴＩＡＬ＿ＲＮＧ＿ＡＣＫ値が指示する時点以内にＡＡＩ＿ＲＮＧ−ＡＣＫメッセージを端末に転送する（Ｓ１０２０）。
【０１５３】
ここで、ＡＡＩ＿ＲＮＧ−ＡＣＫメッセージでは当該レンジングコードに対する応答として、レンジング状態がコンティニューである旨を指示するので、端末は、該メッセージに含まれた物理パラメータ補正値を適用して初期レンジングコードを再転送する（Ｓ１０３０）。
【０１５４】
図１１は、本発明の他の実施例の他の様相に係る初期レンジング手順の他の例を示す図である。
【０１５５】
図１１を参照すると、端末は、まず、初期レンジングコードを基地局に転送する（Ｓ１１１０）。
【０１５６】
ここで、基地局は、該当の時点でハンドオーバーレンジングコードが受信されなかったし、探知された全ての初期レンジングコード（Ｓ１１１０段階で端末が転送したコードも含む）の受信状態が成功であれば、ＡＡＩ＿ＲＮＧ−ＡＣＫメッセージの転送を省略する（Ｓ１１２０）。
【０１５７】
そのため、端末は、ｄｅｌａｙＩＮＩＴＩＡＬ＿ＲＮＧ＿ＡＣＫ値が指示する時点が経過するまでＡＡＩ＿ＲＮＧ−ＡＣＫメッセージを基地局から受信できなくても、自身が転送したコードに対する基地局の応答が暗黙的肯定応答（ｉｍｐｌｉｃｉｔ−ＡＣＫ）であると判断することができる。
【０１５８】
一方、本実施例に係る上述の初期レンジング手順は、周期的レンジングにも同様に適用することができる。
【０１５９】
以下では、図１２を参照して、上述した実施例が共に行われる形態を説明する。
【０１６０】
図１２は、本発明の一実施例に係るハンドオーバーレンジング手順及び他の実施例に係る初期レンジング手順が同時に行われる形態の一例を示す図である。
【０１６１】
図１２で、ハンドオーバーのためのｄｅｌａｙＨＯ＿ＲＮＧ＿ＡＣＫ値は１フレーム、初期／周期的レンジングのためのｄｅｌａｙＩＮＩＴＩＡＬ＿ＲＮＧ＿ＡＣＫ値は１スーパーフレームとあらかじめ定義しておいたとする。
【０１６２】
図１２を参照すると、Ｘ番目のスーパーフレームの２番目のフレームにおいて、１番目のアップリンクサブフレームで専用ハンドオーバーレンジングコードと、３番目のアップリンクサーバーフレームでハンドオーバーレンジングコード及び初期レンジングコードが受信される。ハンドオーバーレンジングコードの場合、ｄｅｌａｙＨＯ＿ＲＮＧ＿ＡＣＫ値が１フレームであるから、３番目のサブフレームのダウンリンクサブフレームでＡＡＩ＿ＲＮＧ−ＡＣＫメッセージが転送される。ＡＡＩ＿ＲＮＧ−ＡＣＫメッセージには、以前フレームで受信されたハンドオーバーレンジングコードに対する応答が含まれる。この時、以前フレームで受信された初期レンジングコードに対する応答も含まれてもよい。
【０１６３】
その後、３番目のフレームの３番目のアップリンクサブフレームで初期レンジングコードが検出されるが、初期／周期的レンジングのためのｄｅｌａｙＩＮＩＴＩＡＬ＿ＲＮＧ＿ＡＣＫ値は１スーパーフレームであるから、該初期レンジングコードに対する応答がＸ番目のスーパーフレーム内で必ず転送される必要はなく、Ｘ＋１番目のスーパーフレーム以内に転送されれば十分である。Ｘ＋１番目のスーパーフレームの４番目のフレームでは、ＡＡＩ＿ＲＮＧ−ＡＣＫメッセージが転送され、転送時点前の２つの初期レンジングコード（Ｘ番目のスーパーフレームの３番目のフレーム、及びＸ＋１番目のスーパーフレームの２番目のフレーム）に対する応答を含むことができる。
【０１６４】
一方、専用レンジングコードに対する応答を含むＡＡＩ＿ＲＮＧ−ＡＣＫメッセージは、放送マスキングコード（Ｂｒｏａｄｃａｓｔ  Ｍａｓｋｉｎｇ  Ｃｏｄｅ）を用いた放送割当マップ情報要素（Ｂｒｏａｄｃａｓｔ  ａｓｓｉｇｎｍｅｎｔ  Ａ−ＭＡＰ  ＩＥ）ではなく、ユニキャストＳＴＩＤを用いたダウンリンク基本割当マップ情報要素（ＤＬ  ｂａｓｉｃ  ａｓｓｉｇｎｍｅｎｔ  Ａ−ＭＡＰ  ＩＥ）を通じて割当情報を端末に伝達することができる。また、ＡＡＩ＿ＲＮＧ−ＲＥＱ及びＡＡＩ＿ＲＮＧ−ＲＳＰメッセージはそれぞれ、ユニキャストＳＴＩＤを用いたアップリンク基本割当マップ情報要素（ＵＬ  ｂａｓｉｃ  ａｓｓｉｇｎｍｅｎｔ  Ａ−ＭＡＰ  ＩＥ）及びダウンリンク基本割当マップ情報要素（ＤＬ  ｂａｓｉｃ  ａｓｓｉｇｎｍｅｎｔ  Ａ−ＭＡＰ  ＩＥ）を通じて割当情報を端末に伝達することができる。
【０１６５】
以下では、表１乃至表３を参照して、本実施例に係るＡＡＩ＿ＲＮＧ−ＡＣＫメッセージのフォーマットを説明する。
【０１６６】
まず、下記の表１は、ｄｅｌａｙＩＮＩＴＩＡＬ＿ＲＮＧ＿ＡＣＫ値が１スーパーフレームの場合におけるＡＡＩ＿ＲＮＧ−ＡＣＫメッセージフォーマットの一例を示す。
【０１６７】
【表１−１】
2013509079.tif 000003
【０１６８】
【表１−２】
2013509079.tif 000004
表１を参照すると、ｄｅｌａｙＩＮＩＴＩＡＬ＿ＲＮＧ＿ＡＣＫ値を１スーパーフレームと仮定したため、ＡＡＩ＿ＲＮＧ−ＡＣＫメッセージには、最大８フレーム内のレンジング機会で受信されたコードに対する応答情報を含むことができる。そのために、フレームインデックス（フレーム指示子）フィールドは３ビットで構成され、１番目のビットが０の場合に以前スーパーフレームを、１の場合に現在スーパーフレームを指示することができる。
【０１６９】
次に、下記の表２は、ｄｅｌａｙＩＮＩＴＩＡＬ＿ＲＮＧ＿ＡＣＫ値が１スーパーフレームの場合におけるＡＡＩ＿ＲＮＧ−ＡＣＫメッセージフォーマットの他の例を示す。
【０１７０】
【表２−１】
2013509079.tif 000005
【０１７１】
【表２−２】
2013509079.tif 000006
表２でも、ｄｅｌａｙＩＮＩＴＩＡＬ＿ＲＮＧ＿ＡＣＫ値が１スーパーフレームの場合を仮定したため、ＡＡＩ＿ＲＮＧ−ＡＣＫメッセージには、最大８フレーム内のレンジング機会で受信されたコードに対する応答情報を含むことができる。そのために、フレームインデックス（フレーム指示子）フィールドは３ビットで構成され、１番目のビットはスーパーフレーム番号のＬＳＢ値を表す方法で各フレームを指示することができる。
【０１７２】
次に、下記の表３は、ｄｅｌａｙＩＮＩＴＩＡＬ＿ＲＮＧ＿ＡＣＫ値が２スーパーフレーム以上である場合におけるＡＡＩ＿ＲＮＧ−ＡＣＫメッセージフォーマットの他の例を示す。
【０１７３】
【表３−１】
2013509079.tif 000007
【０１７４】
【表３−２】
2013509079.tif 000008
表３でも、ｄｅｌａｙＩＮＩＴＩＡＬ＿ＲＮＧ＿ＡＣＫ値が２スーパーフレーム以上である場合を仮定したため、ＡＡＩ＿ＲＮＧ−ＡＣＫメッセージでは、ｄｅｌａｙＩＮＩＴＩＡＬ＿ＲＮＧ＿ＡＣＫ値のサイズによってフレームフィールドのビット数が変更することがある。この場合、最後のビット及びその直前のビットは共にスーパーフレーム内でのフレーム番号を指示し、それら以外のビットは、スーパーフレームのＬＳＢ値を指示することができる。
【０１７５】
一方、感知された専用レンジングコードのインデックス（ｉｎｄｅｘ）が６４以上の場合は、基地局は、それに対するＡＡＩ＿ＲＮＧ−ＡＣＫを端末に転送する時に、コードインデックスが６４以上であることを知らせなければならない。そのため、ＡＡＩ＿ＲＮＧ−ＡＣＫメッセージにはレンジングコードインデックスサイズフィールド（Ｓｉｚｅ  ｏｆ  ｔｈｅ  ｒａｎｇｉｎｇ  ｐｒｅａｍｂｌｅ  ｃｏｄｅ  ｉｎｄｅｘ）が含まれるとよい。
【０１７６】
レンジングコードインデックスサイズフィールド（Ｓｉｚｅ  ｏｆ  ｔｈｅ  ｒａｎｇｉｎｇ  ｐｒｅａｍｂｌｅ  ｃｏｄｅ  ｉｎｄｅｘ）は、下記のように設定することができる。
【０１７７】
すなわち、０ｂ０に設定される場合は、コードインデックスのサイズが６ビットであり、０ｂ１に設定される場合は、コードインデックスのサイズが８ビットであることをそれぞれ表すことができる。もし、レンジングコードインデックスサイズフィールド値が１であれば、当該レンジング機会内の全てのレンジングコードインデックスフィールドのサイズは８ビットとなる。
【０１７８】
端末及び基地局の構造
以下、本発明のさらに他の実施例として、上述した本発明の実施例を実行できる端末及び基地局（ＦＢＳ、ＭＢＳ）について説明する。
【０１７９】
端末は、アップリンクでは送信機として動作し、ダウンリンクでは受信機として動作できる。また、基地局は、アップリンクでは受信機として動作し、ダウンリンクでは送信機として動作できる。すなわち、端末及び基地局は、情報またはデータの転送のために送信機及び受信機を含むことができる。
【０１８０】
送信機及び受信機は、本発明の実施例を実行するためのプロセッサ、モジュール、部分及び／または手段などを含むことができる。特に、送信機及び受信機は、メッセージを暗号化するためのモジュール（手段）、暗号化したメッセージを解析するためのモジュール、メッセージを送受信するためのアンテナなどを備えることができる。このような送信端と受信端の一例を、図１３を参照して説明する。
【０１８１】
図１３は、本発明の他の実施例であって、送信端及び受信端の構造の一例を示すブロック図である。
【０１８２】
図１３を参照すると、左側は送信端の構造を示し、右側は受信端の構造を示している。送信端及び受信端のそれぞれは、アンテナ５，１０、プロセッサ２０，３０、転送モジュール（Ｔｘ  ｍｏｄｕｌｅ）４０，５０、受信モジュール（Ｒｘ  ｍｏｄｕｌｅ）６０，７０及びメモリー８０，９０を備えることができる。各構成要素は、互いに対応する機能を実行することができる。以下、各構成要素についてより詳細に説明する。
【０１８３】
アンテナ５，１０は、転送モジュール４０，５０で生成された信号を外部に転送したり、外部から無線信号を受信して受信モジュール６０，７０に伝達する機能を担う。多重アンテナ（ＭＩＭＯ）機能が支援される場合には、２個以上が設けられてもよい。
【０１８４】
アンテナ、転送モジュール及び受信モジュールは共に、無線通信（ＲＦ）モジュールを構成することができる。
【０１８５】
プロセッサ２０，３０は、通常、移動端末機の全般動作を制御する。例えば、上述した本発明の実施例を実行するためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを実行することができる。より具体的に、プロセッサ２０，３０は、上述したシステム情報の転送／更新手順を実行するための制御全般を行うことができる。
【０１８６】
特に、端末のプロセッサは、レンジングコードを選択し、選択されたレンジングコードをレンジング用途に合うレンジング機会を通じて基地局に転送するように制御する。また、該当のレンジング用途に基づくＡＡＩ＿ＲＮＧ−ＡＣＫメッセージを既に設定された時点まで待ち、該メッセージを基地局から受信すると、それを用いて、転送したレンジングコードの受信状態を確認し、後続動作を判断することができる。
【０１８７】
その他にも、端末のプロセッサは、上述した実施例に開示された動作の全般的な制御動作を行うことができる。
【０１８８】
転送モジュール４０，５０は、プロセッサ２０，３０からスケジューリングされて外部に転送されるデータに、所定の符号化（ｃｏｄｉｎｇ）及び変調（ｍｏｄｕｌａｔｉｏｎ）を行った後、アンテナ１０に伝達することができる。
【０１８９】
受信モジュール６０，７０は、外部からアンテナ５，１０を介して受信された無線信号に復号（ｄｅｃｏｄｉｎｇ）及び復調（ｄｅｍｏｄｕｌａｔｉｏｎ）を行って原本データの形態に復元し、プロセッサ２０，３０に伝達することができる。
【０１９０】
メモリー８０，９０は、プロセッサ２０，３０の処理及び制御のためのプログラムを格納することもでき、入／出力されるデータを臨時記憶する機能を担うこともできる。また、メモリー８０，９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクの少なくとも一タイプの記憶媒体を含むことができる。
【０１９１】
一方、基地局及び中継局は、上述した本発明の実施例を実行するためのコントローラ機能、直交周波数分割多元接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（Ｈａｎｄｏｖｅｒ）機能、認証及び暗号化機能、データ転送のためのパケット変復調機能、高速パケットチャネルコーディング機能、及び実時間モデム制御機能などを、上述したモジュールの少なくとも一つにより行ったり、これらの機能を実行するための別の手段、モジュールまたは部分などをさらに備えることができる。
【０１９２】
本発明は、本発明の精神及び必須特徴から逸脱することなく、他の特定の形態に具体化できる。そのため、上記の詳細な説明はいずれの面においても制約的に解釈してはならず、例示的なものとして考慮しなければならない。本発明の範囲は、添付した請求項の合理的解釈により定めなければならず、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【産業上の利用可能性】
【０１９３】
上述した本発明の実施例は、様々な無線接続システムに適用することができる。様々な無線接続システムの一例には、３ＧＰＰ（３ｒｄ  Ｇｅｎｅｒａｔｉｏｎ  Ｐａｒｔｎｅｒｓｈｉｐ  Ｐｒｏｊｅｃｔ）システム、ＩＥＥＥ  ８０２．ｘｘシステムなどがある。上述した本発明の実施例は、上記のシステムの他、これらシステムが適用されるいずれの技術分野にも適用することができる。
【図１】
2013509079.tif 000009
【図２】
2013509079.tif 000010
【図３】
2013509079.tif 000011
【図４】
2013509079.tif 000012
【図５】
2013509079.tif 000013
【図６】
2013509079.tif 000014
【図７】
2013509079.tif 000015
【図８】
2013509079.tif 000016
【図９】
2013509079.tif 000017
【図１０】
2013509079.tif 000018
【図１１】
2013509079.tif 000019
【図１２】
2013509079.tif 000020
【図１３】
2013509079.tif 000021
【国際調査報告】
2013509079.tif 000022
2013509079.tif 000023